(57)【要約】【課題】  商品陳列棚において、種類の異なる背面部材を、低コストでもって、見栄えよく、かつ上段の背面部材の荷重が、下段の背面部材に負荷されることがないように、相互に独立させて上下に配列し得るようにする。【解決手段】  左右１対の支柱２の対向面３間に、上下方向に分割された複数の背面部材７，９を取付けてなる、商品陳列棚１における背面部材７，９の取付構造であって、前記１対の支柱２の対向面３に係止孔６ａを穿設し、それぞれの係止孔６に、前記対向面３と平行をなす基片８ａの前後縁に、左右方向の内側に向けて１対の挟持片８ｂを設けるとともに、前記前後の挟持片８ｂ間に支持部８ｃを設け、かつ前記基片８ａの外側面に係止部８ｄを設けて形成した保持部材８を係止し、上下の背面部材７，９を、前記前後の挟持片８ｂをもって挟持するとともに、上側の背面部材９を、前記支持部８ｃをもって支持する。【選択図】        図４
2005334436.tif 000002
【特許請求の範囲】
【請求項１】
左右１対の支柱の対向面間に、上下方向に分割された複数の背面部材を取付けてなる、商品陳列棚における背面部材の取付構造であって、
前記１対の支柱の対向面に係止孔を穿設し、それぞれの係止孔に、前記対向面と平行をなす基片の前後縁に、左右方向の内側に向けて１対の挟持片を設けるとともに、前記前後の挟持片間に支持部を設け、かつ前記基片の外側面に係止部を設けて形成した保持部材を係止し、上下の背面部材を、前記前後の挟持片をもって挟持するとともに、上側の背面部材を、前記支持部をもって支持したことを特徴とする背面部材の取付構造。
【請求項２】
前記保持部材における支持部を、前後の挟持片のほぼ中央部に渡設した前後方向を向く棒材をもって形成したことを特徴とする請求項１記載の背面部材の取付構造。
【請求項３】
前記上側の背面部材の左右下端縁を、前記保持部材における基片の内側面と、支持部である棒材との間に装着可能な楔形状としたことを特徴とする請求項２記載の背面部材の取付構造。
【請求項４】
基片の前後縁に、左右いずれかの一方向に向けて１対の挟持片を設けるとともに、前記前後の挟持片間に支持部を設け、かつ基片における前記一方向と反対の側面に、係止部を設けたことを特徴とする、商品陳列棚の背面部材等のパネルの保持部材。
【請求項５】
保持部材における前後の挟持片を、正面視において、前部の挟持片を、後部の挟持片よりも小さく形成したことを特徴とする請求項１〜４のいずれかに記載の背面部材の取付構造、または保持部材。
【発明の詳細な説明】
【技術分野】
【０００１】
本発明は、商品陳列棚における背面部材等のパネルの取付構造、およびそれに用いる保持部材に関し、特に商品陳列棚における左右１対の支柱間に、上下方向に複数の背面部材を取付ける場合に有用な技術に関する。
【背景技術】
【０００２】
デパートやスーパーマーケット、その他の店舗等において使用される商品陳列棚には各種のものがあり、１つの商品陳列棚において、上下方向に複数設けられた棚毎に、異なる種類の商品が陳列される場合も多い。
【０００３】
この場合、陳列された商品に応じて、その棚の背面部材を、たとえば、不透明ないし透明なパネル、ルーバーパネル、金網などの異なるパネルとし、陳列効果を向上させる試みがなされている。
【０００４】
このように上下方向に種類の異なる各種パネルを保持する方法として、一般に中段連結材が使用されている（たとえば、特許文献１）。
特許文献１には、陳列棚における左右の支柱の間に架設した上下１対の保持桟に、表示板を取付けるようにした表示板取付装置において、前記保持桟を、角管状をなし、かつ下面に長手方向のスリットを、上面に長手方向の凹溝を設けた左右方向の連結材の両端部に、側面視下向きまたは上向きのコ字形をなす係止片を嵌合固着したものとし、前記各係止片から外方へ突設した前後１対のフックを、各支柱の対向面の所要位置に設けた前後１対のスリットに挿入係止するとともに、上下に対向するスリットと凹溝内に、表示板の上下縁をそれぞれ嵌入してなる技術が開示されている。
【０００５】
しかし、前記技術の場合、中段連結材を設けることによって、見栄えも必ずしも良好なものではないばかりでなく、コスト高となっていた。
【特許文献１】実公平４−３９７５０号公報（第１図参照）
【発明の開示】
【発明が解決しようとする課題】
【０００６】
本発明は、前記の現状に鑑み、種類の異なる上下の背面部材の境界に、中段連結材のような見栄えの面から、好ましくないものを用いることなく、コスト上も廉価であり、かつ、たとえば上側の背面部材が金属製であって重量が大きく、下側の背面部材が薄肉の合成樹脂製であって耐荷重が小さい場合においても、上側の背面部材の荷重が下側の背面部材に負荷されることがない背面部材の取付構造、およびそれに用いる保持部材を提供することを目的とする。
【課題を解決するための手段】
【０００７】
上記課題は、特許請求の範囲における各請求項に示すように、下記の構成を備える発明によって解決される。
(１)  左右１対の支柱の対向面間に、上下方向に分割された複数の背面部材を取付けてなる、商品陳列棚における背面部材の取付構造であって、前記１対の支柱の対向面に係止孔を穿設し、それぞれの係止孔に、前記対向面と平行をなす基片の前後縁に、左右方向の内側に向けて１対の挟持片を設けるとともに、前記前後の挟持片間に支持部を設け、かつ前記基片の外側面に係止部を設けて形成した保持部材を係止し、上下の背面部材を、前記前後の挟持片をもって挟持するとともに、上側の背面部材を、前記支持部をもって支持する。
【０００８】
(２)  上記(１)項において、前記保持部材における支持部を、前後の挟持片のほぼ中央部に渡設した前後方向を向く棒材をもって形成する。
【０００９】
(３)  上記(２)項において、前記上側の背面部材の左右下端縁を、前記保持部材における基片の内側面と、支持部である棒材との間に装着可能な楔形状とする。
【００１０】
(４)  基片の前後縁に、左右いずれかの一方向に向けて１対の挟持片を設けるとともに、前記前後の挟持片間に支持部を設け、かつ基片における前記一方向と反対の側面に、係止部を設けた、商品陳列棚の背面部材等のパネルの保持部材とする。
【００１１】
(５)  上記(１)項〜(４)項のいずれかにおいて、保持部材における前後の挟持片を、正面視において、前部の挟持片を、後部の挟持片よりも小さく形成する。
【発明の効果】
【００１２】
本発明によると、次のような効果が奏せられる。
請求項１記載の発明によれば、左右の支柱間に渡設される中段連結材に代えて、上下の背面部材における左右の上下端縁を挟持する保持部材を用いるため、見栄えに優れるとともに、コスト上も廉価であり、かつ上側の背面部材が、保持部材における支持部によって支持されるため、上側の背面部材の荷重が、下側の背面部材に負荷されることがない。そのため、たとえば、耐荷重が小さい薄肉の透明性合成樹脂製の背面部材の上側に、重量が大きい金属製のルーバーパネルの背面部材を設けることも何ら支障なく行うことができる。したがって、上下の背面部材の材質の選択などの組合せの自由度が大きくなる。
【００１３】
請求項２記載の発明によれば、保持部材に、支持部を容易に形成できるとともに、基片と、棒材からなる支持部との間に、間隙が形成されているため、その間隙内に、背面部材の下端縁の左右端を下方に突出させて、その突出部分を、前記間隙内に嵌入させることにより、背面部材を、容易に位置安定性よく保持することができる。
【００１４】
請求項３記載の発明によれば、いわゆる楔作用によって、商品陳列棚のぐらつきが防止され、強固なものとなる。
【００１５】
請求項４記載の発明によれば、請求項１〜３項のいずれかに記載された商品陳列棚における背面部材の取付構造に用いられる保持部材が、容易に得られるばかりでなく、この保持部材を、たとえば、仕切パネルにおけるパネルの保持部材として利用することもできる。
【００１６】
請求項５記載の発明によれば、前部の挟持片を小さく形成することによって、商品陳列棚等の正面視における見栄えが向上するとともに、棚に載置された商品が、背面部材の前面に当たり、後向きの負荷がかかり易い背面部材を、大きい後部の挟持片により、前向きに堅固に支持することができる。
【発明を実施するための最良の形態】
【００１７】
以下、本発明の実施形態を、図面に基づいて説明する。
【実施例１】
【００１８】
図１は、本発明の背面部材の取付構造を備える商品陳列棚の分解斜視図である。
【００１９】
本発明の商品陳列棚(１)は、左右１対の支柱(２)(２)の対向面(３)(３)間に、上下方向に分割された複数の背面部材(４)を取付けて構成されている。上下に配列される背面部材(４)は、前記のように、材質や形状が全く異なるものを用いることができるが、本実施例においては、すべての背面部材が同じ材質よりなり、ほぼ同じ形状を有している。
【００２０】
図２は、図１における円Ａ部分の要部拡大斜視図、図３は、図１における円Ａ部分の要部拡大正面図であり、一部破断して示す。
【００２１】
図１〜図３に示すように、左右１対の支柱(２)(２)は、下部連結部材(５)によって相互に連結されている。
【００２２】
各支柱(２)における対向面(３)の下部には、前後２列の縦向きスリット状の係止孔(6a)(6a)が穿設されている。
【００２３】
下部連結部材(５)は、側面視下向きコ字状の連結杆(5a)の左右端に、前後１対の下向きの係止部(5b)(5b)を設けて形成されており、前記係止部(5b)(5b)を、支柱(２)の係止孔(6a)(6a)に係止させることにより、左右１対の支柱(２)(２)が、下部連結部材(５)により連結されている。
【００２４】
上下に配列される背面部材(４)は、下方から上方に向けて順次、支柱(２)に取付けられる。
【００２５】
最下段の背面部材(７)は、次の手順で取付けられる。
まず、背面部材(７)の下端縁(7a)を、下部連結部材(５)の上面に、左右方向に設けられた嵌合溝(5c)内に嵌入させる。
【００２６】
次いで、背面部材(７)の上端縁(7b)の左右端を、保持部材(８)により、下記のようにして支柱(２)に固定する。
【００２７】
図４は、図１における円Ｂ部分の要部拡大斜視図、図５は、同じく、図１における円Ｂ部分の要部拡大正面図であり、一部破断して示す。
【００２８】
図１、図４、図５に示すように、保持部材(８)は、支柱(２)における対向面(３)と平行をなす基片(8a)の前後縁に、左右方向の内側に向けて１対の挟持片(8b)(8b)が設けられるとともに、この前後の挟持片(8b)(8b)間に、前後方向を向く棒材からなる支持部(8c)が渡設され、かつ前記基片(8a)の外側面に上下１対の下向きの係止部(8d)(8d)が設けられて形成されている。
【００２９】
この保持部材(８)は、上下１対の係止部(8d)(8d)を、支柱(２)における対向面(３)の係止孔(6b)に係止させることにより、支柱(２)に取付けられるようになっている。
【００３０】
下端縁(7a)を、下部連結部材(５)の嵌合溝(5c)に嵌入させた前記背面部材(７)の上端縁(7b)の左右端を、前記保持部材(８)における前後の挟持片(8b)(8b)をもって挟持するようにして、保持部材(８)を、係止部(8d)(8d)によって、支柱(２)に係止する。
【００３１】
このようにして、背面部材(７)の上下端縁(7a)(7b)が、それぞれ保持部材(８)、嵌合溝(5c)により固定され、最下段の背面部材(７)が、左右の支柱(２)(２)間に取付けられる。
【００３２】
次に、中段の背面部材(９)は、次の手順により取付けられる。
図１、図４、図５に示すように、背面部材(９)の下端縁(9a)の左右端を、前記保持部材(８)における前後の挟持片(8b)(8b)間に、上方から嵌入して、両挟持片(8b)(8b)により挟持させるとともに、棒状の支持部(8c)により支持させる。
【００３３】
背面部材(９)の下端縁(9a)の左右端は、保持部材(８)における基片(8a)の内側面と、棒状の支持部(8c)との間に装着可能な楔形状に形成されており、いわゆる楔作用によって、背面部材(９)が、左右の支柱(２)(２)間に強固に取付けられ、商品陳列棚(１)のぐらつきが防止されるようになっている。
【００３４】
背面部材(９)の上端縁(9b)の左右端は、最下段の背面部材(７)における上端縁(7b)の左右端と同様にして、保持部材(10)によって、支柱(２)に固定される。
【００３５】
上下の保持部材(８)(10)における挟持片(8b)(10a)は、いずれも正面視において、縦長四辺形をなし、前部の挟持片が、後部の挟持片よりも小さく形成されている。そのため、保持部材(８)(10)が目立たず、商品陳列棚(１)の正面視における見栄えが向上するとともに、棚に載置された商品が、背面部材(７)(９)の前面に当たり、後向きの負荷を受け易い背面部材(７)(９)を、大きい後部の挟持片により、前向きに堅固に支持することができる。
【００３６】
次に、最上段の背面部材(11)は、次の手順により取付けられる。
背面部材(11)の下端縁(11a)の左右端は、前記中段の背面部材(９)の場合と同様にして、保持部材(10)における前後の挟持片(10a)(10a)間に嵌入され、支持部(10b)によって支持される。
【００３７】
背面部材(11)の上端縁(11b)は、次のようにして支柱(２)に固定される。
【００３８】
図６は、図１における円Ｃ部分の要部拡大斜視図、図７は、同じく、図１における円Ｃ部分の要部拡大正面図であり、一部破断して示す。
【００３９】
図１、図６、図７に示すように、背面部材(11)の上端縁(11b)の左右端には、上端固定具(12)が取付けられている。
【００４０】
上端固定具(12)は、平面視において、左右方向の内向きのほぼ三角形状をなす基板(12a)と、その基板(12a)の下面に、基板(12a)の左右方向の外側縁に沿って平行に設けられた下向きコ字状の取付用脚片(12b)とより形成されている。
【００４１】
基板(12a)は、その下面において、取付用脚片(12b)を左右外側に突出させた状態で、背面部材(11)の上端縁(11b)の左右端に溶着されている。
【００４２】
前記取付用脚片(12b)は、長四辺形の断面を有する中空管で形成されている支柱(２)の管内(2a)に、緊縛状態で嵌合し得るように形成されており、この取付用脚片(12b)を、支柱(２)の上方から管内(2a)に嵌合させることにより、背面部材(11)の上端が支柱(２)に固定される。
【００４３】
以上説明のように、それぞれの背面部材(７)(９)(11)は、相互に独立して支柱(２)に取付けられ、上段の背面部材(11)(９)の荷重が、下段の背面部材(９)(７)に負荷されることはない。
【図面の簡単な説明】
【００４４】
【図１】本発明の背面部材の取付構造を備える商品陳列棚の分解斜視図である。
【図２】図１における円Ａ部分の要部拡大斜視図である。
【図３】同じく、図１における円Ａ部分の一部破断して示す要部拡大正面図である。
【図４】図１における円Ｂ部分の要部拡大斜視図である。
【図５】同じく、図１における円Ｂ部分の一部破断して示す要部拡大正面図である。
【図６】図１における円Ｃ部分の要部拡大斜視図である。
【図７】同じく、図１における円Ｃ部分の一部判断して示す要部拡大正面図である。
【符号の説明】
【００４５】
(１)商品陳列棚
(２)支柱
(2a)管内
(３)対向面
(４)背面部材
(５)下部連結部材
(5a)連結杆
(5b)係止部
(5c)嵌合溝
(6a)(6b)係止孔
(７)背面部材
(7a)下端縁
(7b)上端縁
(８)保持部材
(8a)基片
(8b)挟持片
(8c)支持部
(8d)係止部
(９)背面部材
(9a)下端縁
(9b)上端縁
(10)保持部材
(10a)挟持片
(10b)支持部
(11)背面部材
(11a)下端縁
(11b)上端縁
(12)上端固定具
(12a)基板
(12b)取付用脚片
【図１】
2005334436.tif 000003
【図２】
2005334436.tif 000004
【図３】
2005334436.tif 000005
【図４】
2005334436.tif 000006
【図５】
2005334436.tif 000007
【図６】
2005334436.tif 000008
【図７】
2005334436.tif 000009